(57)【要約】      （修正有）【課題】底部フレームのカウンターウェイトを適切な部位に集中することができ、バランスの維持に有利で、軽便であると同時に、三角形反射板を確実に支持できる三角警告板を提供する。【解決手段】底部フレーム１と底部フレームに設けられた三角形反射板２を備えた三角警告板であって、底部フレームは底座１１と、回転的に底座の両側に設置された回転フレーム１２を含み、底座と三角形反射板の底部は回転的に連結され、回転フレームはフレーム１２１とフレーム内に設置されたカウンターウェイトブロック１２２を含む。【選択図】図１
0003189970.tif 000002
【実用新案登録請求の範囲】
【請求項１】
底部フレーム(1)と底部フレームに設けられた三角形反射板（2）を備えた三角警告板であって、前記底部フレーム(1)は底座(11)と底座の両端に回転的に設置された回転フレーム(12)を備え、前記底座(11)と前記三角形反射板(2)の底部は回転連結され、前記回転フレーム(12)はフレーム(121)と当該フレーム内に設置されたカウンターウェイトブロック(122)を含む、ことを特徴としている。
【請求項２】
前記フレーム(121)には長手方向に沿って分布された細長い凹溝(123)が開設され、前記カウンターウェイトブロック(122)は前記フレーム(121)の細長い凹溝(123)にマッチングし、且つ前記細長い凹溝(123)内に嵌設されている、
ことを特徴とする請求項1に記載の三角警告板。
【請求項３】
前記フレーム(121)は細長いプラスチックブロックで、前記カウンターウェイトブロック(122)は金属材質で、両者は一体的に複合されている、
ことを特徴とする請求項1に記載の三角警告板。
【請求項４】
前記底座(11)には回転し折りたたんだ後の回転フレーム(12)をロックする第一ロック(111)が設けられ、前記三角形反射板(2)の底部は回転して折りたたんだ後の底座をロックする第二ロック(211)が設けられている、
ことを特徴とする請求項1に記載の三角警告板。
【請求項５】
前記フレーム(121)の内端は前記底座(11)に回転連結されている、
ことを特徴とする請求項1に記載の三角警告板。
【請求項６】
前記フレーム(121)の外端下側にはスライド防止支持脚(124)が取り付けられている、
ことを特徴とする請求項1に記載の三角警告板。
【請求項７】
前記三角形反射板(2)は底板(21)、底板に設置された底部板(22)、下端が底部板の左端に回転連結された左側板(23)、下端が底部板の右端に回転連結された右側板(24)を備え、左側板(23)の上端と底部板(24)の上端は分解可能に連結されている、
ことを特徴とする請求項1から6の何れかに記載の三角警告板。
【請求項８】
前記底座(11)の中部と底板(21)の下側中心は回転連結され、且つ底座(11)の長さは底板(21)の長さより小さい、
ことを特徴とする請求項7に記載の三角警告板。
【請求項９】
前記底板(21)両端の下側にはそれぞれスライド防止支持ブロック(212)が設けられている、
ことを特徴とする請求項7に記載の三角警告板。
【考案の詳細な説明】
【技術分野】
【０００１】
本考案は、交通警告標識に関し、特に三角警告板に関する。
【背景技術】
【０００２】
三角警告板は常用の交通警告標識であり、主に自動車故障時に、車両の周囲に置き、走行している車両に警告を出し、車両の追突防止に用いられている。車両の各事故は何れも突発的であるため、三角警告板を自動車のトランクに携帯し、とっさの意外に備える必要がある。従来の三角警告板は通常、底部フレームと底部フレームに取り付けられた三角形反射板を備え、それに携帯し易くするため、大多数の底部フレームは折りたたみ可能な構造を採用している。このような折りたたみ式三角警告板があれば、当該折りたたみ式三角警告板の三角形フレームは上表面に投影した光の反射に用い、三角形フレームの下方には底板が設けられ、底板の下側中部には折りたたみ支持フレームが設けられ、それに、折りたたみ支持フレームはさらに支持板と回転的に支持板の両側に設けられた延長ロッドを備え、三角形フレームに安定的な支持を提供するために、この三角形警告板の延長ロッドは往々にして鉄ロッドを採用していることから、三角警告板が軽便でない。
【０００３】
例えば、特許番号ZL201120056239.2（授権公告番号がCN201981494U）の中国実用新案で開示された≪折りたたみ可能な三角警告板≫は、三角反射器と当該三角反射器を支持固定するための支持フレームを備えた折りたたみ可能な三角警告板であって、当該支持フレームは三角形反射器に連結された支持板と支持脚を備え、支持脚は又互いにヒンジ連結された内側脚と外側脚を有し、支持脚を広げた後支持板と三角形反射器を支持する。このような折りたたみ可能な三角形警告板の支持フレームは支持脚がやや多く、構造がコンパクトでないだけではなく、支持脚も往々にして軽便なプラスチックロッドを採用しているため、支持の安定性をさらに向上させる必要がある。
【考案の概要】
【考案が解決しようとする課題】
【０００４】
本考案が解決しようとする技術問題は、上記の従来技術の現状を鑑み、底部フレームが軽便であると同時に、確実な支持を提供可能な三角警告板を提供することにある。
【課題を解決するための手段】
【０００５】
上記の技術問題を解決するため、本考案の技術方案は、底部フレームと底部フレームに設けられた三角形反射板を備えた三角警告板であって、前記底部フレームは底座と回転的に底座の両端に設置された回転フレームを含み、前記底座と前記三角形反射板の底部は回転的に連結され、前記回転フレームはフレームと当該フレーム内に設置されたカウンターウェイトブロックを含む。
【０００６】
フレームとカウンターウェイトブロックは多種の複合構造を有することができるが、好ましくは、前記フレームには長手方向に沿って分布された細長い凹溝が開設され、前記カウンターウェイトブロックは細長い凹溝にマッチングし、且つ前記細長い凹溝内に嵌設されている。そのうち、前記フレームとして好ましくは細長いプラスチックブロックで、前記カウンターウェイトブロックとして好ましくは金属材料で、両者は一体に複合されている。
【０００７】
底部フレームが安定的な折りたたみ構造有するようにするため、前記底座には回転し折りたたんだ後の回転フレームをロックする第一ロックが設けられ、前記三角形反射板の底部は回転して折りたたんだ後の底座をロックする第二ロックが設けられている。
【０００８】
好ましくは、前記フレームの内端は前記底座に回転連結される。前記回転連結はヒンジ接続であってもよく、可動的なリベット接続であっても良い。
【０００９】
使用時に、底部フレームのスライドを防止するため、前記フレームの外端下側にはスライド防止支持脚が取り付けられている。
【００１０】
三角形反射板は多種な構造を有することができるが、折りたたみ構造であっても良く、非折りたたみ構造であっても良いが、好ましくは、前記三角形反射板は底板、底板に設置された底部板、下端が底部板の左端に回転連結された左側板、下端が底部板の右端に回転連結された右側板を備え、左側板の上端と底部板の上端は分解可能に連結され、前記底座の中部と底板の下側中心は回転的に連結されている。そのうち、左側板と底部板、及び右側板と底部板はヒンジ接続または可動的なリベット接続等の回転接続方式を採用することができる。この他、底部板、左側板と右側板の中部は二分割され、且つヒンジを通じて連結されることができる。このように、底部板、左側板と右側板をそれぞれ中部から折りたたんだ後、長さが半分になり、その底部板、左側板と右側板を一緒に折畳んだ後、警告板を完全に折畳むことができる。また、折り畳んだ後の三角形反射板の体積がより小さくなり、より携帯し易い。
【００１１】
さらに好ましくは、前記底座の中部と底板の下側中心は回転連結され、且つ底座の長さは底板の長さより小さい。このように、底部フレームを折りたたんだ後底板と平行且つ底板の真下の位置にまで回転することができ、より携帯し易い。
【００１２】
使用時に、三角形反射板のスライドを防止するため、前記底板両端の下側にはそれぞれスライド防止支持ブロックが設けられている。
【考案の効果】
【００１３】
従来技術に比べ、本考案の利点は下記のとおりである。底部フレームにおける回転フレームをフレームとカウンターウェイトブロックを組合わせる構造を採用することにより、底部フレームのカウンターウェイトが適切な部位に集中するようにすることができ、バランスの維持により有利で、より軽便であると同時に、三角形反射板に確実な支持を提供できるほか、フレームとカウンターウェイトブロックの材質により大きな選択余地を与えている。
【図面の簡単な説明】
【００１４】
【図１】本考案の実施例に係る三角形警告板の使用状態の構造概略図である。
【図２】図1における底部フレームの一部の分解概略図である。
【図３】図1に示された三角警告板の断面図である。
【図４】図1に示された三角警告板の別の角度の構造外略図である。
【図５】本考案の実施例に係る三角形警告板の折りたたみ状態での構造概略図である。
【図６】図5に示された折りたたみ後の三角警告板の別の角度の構造外略図である。
【考案を実施するための形態】
【００１５】
以下、図面と具体的な実施例に合わせて、本考案をさらに詳しく説明する。
【００１６】
図1から図6に示されているように、本実施例における三角警告板は底部フレーム1と底部フレームに取付けられた三角形反射板2を備える。そのうち、底部フレーム1は細長い底座11と底座の両端に回転的に設置された回転フレーム12を備え、回転フレーム12は一体的に複合されたフレーム121とカウンターウェイトブロック122を含み、回転フレームはフレームとカウンターウェイトブロックの複合体を採用することにより、底部フレーム全体が軽便であり、底部フレームのカウンターウェイトが適切な部位に集中するようにすることができ、バランスの維持により有利で、底部フレーム1が三角形反射板に確実な支持を提供できるようにすると同時に、フレームとカウンターウェイトブロックの材質により大きな選択余地を与えている。本実施例において、フレーム121は細長いプラスチックブロックで、細長いプラスチックブロックの内端は底座11の端部に回転連結され、当該回転連結は可動的なリベット接続又はヒンジ接続を採用することができる。細長いプラスチックブロックの上部には長手方向に沿って分布された細長い凹溝123が開設され、カウンターウェイトブロック122は細長い凹溝123にマッチングし、且つ細長い凹溝123内に嵌設されている。本実施例において、カウンターウェイトブロック122は鉄ブロックを採用しているが、当然ながら、鉄ブロックを採用するほか、他の適切な金属ブロックを採用することもできる。
【００１７】
三角形反射板2は底板21、底部板22、左側板23、右側板24を備え、そのうち、底部板22は底板21に設置され、左側板23下端は底部板22の左端に回転連結され、当該回転連結はヒンジ接続又は可動的なリベット接続を採用することができ、右側板24下端は底部板22の右端に回転連結され、当該回転連結もヒンジ接続又は可動的なリベット接続を採用することができる。左側板23の上端と右側板24の上端は分解可能に連結され、左側板23と右側板24が広げる時、左側板23の上端と右側板24の上端はスナップフィットされる。この他、底部板、左側板と右側板は中部で二分割され、且つヒンジを通じて連結されることができる。このように、底部板、左側板と右側板をそれぞれ中部から折りたたんだ後、長さが半分になり、その後底部板、左側板と右側板を一緒に折畳んだ後、警告板を完全に折畳むことがでる。また、折り畳んだ後の三角形反射板の体積がより小さくなり、より携帯し易い。
【００１８】
本実施例において、底座11の中部と底板21の下側中心は回転連結され、且つ底座11の長さは底板21の長さより小さい。このように、底部フレームを折りたたんだ後、底板と平行且つ底板の真下の位置にまで回転することができ、折りたたんだ後の体積は小さくなり、より携帯し易い。
【００１９】
また、使用過程で三角警告板の底部フレーム1のスライドを防止するため、細長いプラスチックブロックの外端下側にはスライド防止支持脚124が取り付けられている。使用過程で三角形反射板のスライドを防止するため、底板21両端の下側にはそれぞれスライド防止支持ブロック212が設けられている。それに、三角警告板の使用状態下、当該スライド防止支持ブロック212とスライド防止支持脚124は同時に地面等の支持物に落ちる。
【００２０】
このほか、底部フレーム1が安定的な折りたたみ構造有するようにするため、底座11には回転し折りたたんだ後の回転フレーム12をロックする第一ロック111が設けられ、底板21は回転して折りたたんだ後の底座11をロックする第二ロック211が設けられている。このように、折りたたんだ後の回転フレーム12は第一ロック111により底座11にロックされ、底部フレーム1が底板21の真下まで回転した時に、底板21の第二ロック211は底座11の底板21にロックすることで、携帯する過程で底部フレーム1が脱落しにくいするようにする。
【図１】
0003189970.tif 000003
【図２】
0003189970.tif 000004
【図３】
0003189970.tif 000005
【図４】
0003189970.tif 000006
【図５】
0003189970.tif 000007
【図６】
0003189970.tif 000008